(57)【要約】      （修正有）【課題】上面に被着されるフェルトの交換を容易、且つ迅速にするゲーム用テーブルを提供する。【解決手段】スポンジシート３又はゴムシートと、フェルト２とを接着剤６により接合すると共に、その外周をテーブル本体の天板１ｂに整合させる。そして、フェルト２とスポンジシート３とからなる接合体５上に枠体４を重ね合わせて、その重量により、接合体５を支持する。【選択図】図３
0003222625.tif 000002
【実用新案登録請求の範囲】
【請求項１】
テーブル本体（１）と、
外周が前記テーブル本体（１）の外周に整合する布状のフェルト（２）と、
前記フェルト（２）の外周に整合し、そのフェルト（２）の下面に配置されると共に、上面がフェルトの下面と接着剤により接合する平板状のスポンジシート（３）またはゴムシートと、
テーブル本体（１）の外周に整合する外周縁部（４ａ）を有し、その内側にテーブル本体（１）の外周より小なる内フランジ部（４ｂ）を有する枠体（４）と、
を具備し、
前記テーブル本体（１）の天板（１ａ）上に、フェルト（２）とスポンジシート（３）またはゴムシートの接合体（５）が載置され、それらの接合体（５）の周縁部を、天板（１ａ）の周縁に整合する前記枠体（４）の重量により支持したゲーム用テーブル。
【請求項２】
請求項１に記載のゲーム用テーブルにおいて、
スポンジ（３）の板厚が1ｍｍ〜6ｍｍであり、スポンジ（３）の硬度が１５度〜５０度であるゲーム用テーブル。
【請求項３】
請求項１または請求項２に記載のゲーム用テーブルにおいて、
前記スポンジ（３）が、ウレタン製の独立発泡体よりなるゲーム用テーブル。
【請求項４】
請求項１〜請求項３のいずれかに記載のゲーム用テーブルにおいて、
前記枠体（５）の周縁部（４ａ）を、天板（１ａ）に締結具で締結したゲーム用テーブル。
【考案の詳細な説明】
【技術分野】
【０００１】
本考案は、カジノ等で使用されるゲーム用テーブルの天板に被着されるフェルト等の張替えを容易にするものに関する。
【背景技術】
【０００２】
ゲーム用テーブルは、テーブル本体が３以上の脚と、天板とを有し、その天板の表面にフェルトが被着されている。そして、フェルトの縁に外枠を取り付けることが多い。
この様なゲーム用テーブルは、楕円形のもの、半円形のもの、ひょうたん型のもの、その他各種の形状がある。
【考案の概要】
【考案が解決しようとする課題】
【０００３】
ゲーム用テーブルは、使用によりフェルトの表面が汚れるため、しばしばフェルトを交換する必要がある。フェルトの交換は、従来、次のようにして行っていた。
天板の外周に取り付けられた枠体を取り外し、天板の裏側に固定されたフェルトの縁のステープルを取り外す。次いで、新たなフェルトを天板上に被着し、その縁をたれ下げる。次いで、垂れ下がった縁を天板の裏側にまわし、その縁を天板裏にステープル止めする。
この時、フェルトの縁を中心側に引っ張りつつ、ステープル止めを行い、フェルト表面がたるまないようにする。次いで、枠体をフェルトの上から重ね合わせる。
【０００４】
このようなゲーム用テーブルのフェルトの交換は、極めて面倒で、時間と手間を要する欠点があった。
そこで、本考案はフェルトの交換を迅速且つ、容易に行えるゲーム用テーブルを提供することを課題とする。
【課題を解決するための手段】
【０００５】
請求項１に記載の考案は、テーブル本体（１）と、
外周が前記テーブル本体（１）の外周に整合する布状のフェルト（２）と、
前記フェルト（２）の外周に整合し、そのフェルト（２）の下面に配置されると共に、上面がフェルトの下面と接着剤により接合する平板状のスポンジシート（３）またはゴムシートと、
テーブル本体（１）の外周に整合する外周縁部（４ａ）を有し、その内側にテーブル本体（１）の外周より小なる内フランジ部（４ｂ）を有する枠体（４）と、
を具備し、
前記テーブル本体（１）の天板（１ａ）上に、フェルト（２）とスポンジシート（３）またはゴムシートの接合体（５）が載置され、それらの接合体（５）の周縁部を、天板（１ａ）の周縁に整合する前記枠体（４）の重量により支持したゲーム用テーブルである。
【０００６】
請求項２に記載の考案は、請求項１に記載のゲーム用テーブルにおいて、
スポンジ（３）の板厚が、１ｍｍ〜６ｍｍ、スポンジ（３）の硬度が１５度〜５０度であるゲーム用テーブルである。
【０００７】
請求項３に記載の考案は、請求項１または請求項２に記載のゲーム用テーブルにおいて、
前記スポンジ（３）が、ウレタン製の独立発泡体よりなるゲーム用テーブルである。
【０００８】
請求項４に記載の考案は、請求項１〜請求項３のいずれかに記載のゲーム用テーブルにおいて、
前記枠体（５）の周縁部（４ａ）を、天板（１ａ）に締結具で締結したゲーム用テーブルである。
【考案の効果】
【０００９】
本考案のゲーム用テーブルは、テーブル本体１の天板１ａ上に、フェルト２とスポンジシート３またはゴムシートの接合体５が載置され、それらの接合体５の周縁部を、天板１ａの周縁に整合する枠体４の重量により支持したものである。
この考案によれば、テーブルの天板１ｂ上のフェルト２の張り替えが容易に且つ、迅速に行える。即ち、フェルトが汚れたとき、外周を支持する枠体４を外し、フェルトとスポンジシート３との接合体を取り除き、新たなフェルト２とスポンジシート３の接合体５を天板１ｂ上に載せ、その外周を枠体４で支持すればよい。このときフェルト２は予めスポンジシート３に接合されているため、天板１ｂに載置するのみで、スポンジシート３の剛性により平面を維持し、枠体の重みで、その状態を保持できると共に、その接合体がずれることがない。
これは、従来のフェルトの張り替え作業のような、フェルト縁部を天板の裏側への巻込み、その縁部を引張りつつ、天板裏にホチキス止めする面倒な作業を解消する。それと共に、ホチキス止めに伴う天板の損傷を防ぐことができる。
【００１０】
請求項４に記載の考案のように、枠体４の周縁部４ａまたは内フランジ部４ｂを天板１ｂに締結具により固定すれば、さらに安全にフェルトを天板に、固定することができる。ここに、フェルトは、不織布、布を含み、ゲーム用テーブル上に被着できるものであればよい。またスポンジは、各種発泡板を含むものである。
【図面の簡単な説明】
【００１１】
【図１】本考案のゲーム用テーブルの分解斜視図。
【図２】同組立て状態を示す斜視図（Ａ）、及び図２（Ａ）のＢ−Ｂ矢視断面図。
【図３】図２（Ｂ）のＩＩＩ部拡大図。
【図４】本考案のゲーム用テーブルの他の実施形態を示す斜視図。
【考案を実施するための形態】
【００１２】
次に、図面に基づいて、考案の実施の形態につき、説明する。
図１〜図３は、本考案のゲーム用テーブルの一例であって、4本の脚１ａと天板１ｂとからなるテーブル本体１を有し、その天板１ｂの平面が楕円形に形成されたものである。
この天板１ｂの形状は、図４に示すような半円形のものや、ひょうたん型のもの、方形のもの等、各種存在する。
この例では、テーブル本体１の天板１ｂが４本の脚１ａの上端に固定されている。そして、このゲーム用テーブルは、テーブル本体１とフェルト２、スポンジシート３とからなる接合体５と、周縁部４ａ、内フランジ部４ｂからなる枠体４とを有する。接合体５は、フェルト２とスポンジシート３との接着による。即ち、図３に示す如く、スポンジシート３上にフェルト２を被着し、両者を接着剤６によって接合したものである。
【００１３】
フェルト２は、通常、羊毛繊維を圧縮して、シート状に形成したものである。また、スポンジシート３は、フェルト２よりも厚みが厚く、適宜な弾性と剛性を有するものである。両者は、接着剤６を介して一体化され接合体５を構成する。
この接合体５の外周は、テーブル本体１の外周に整合する。したがって、テーブル本体１が半円形の場合には、接合体５も半円形に形成される。
【００１４】
次に、枠体４は、天板１ｂの外周に整合する周縁部４ａと、その周縁部４ａに一体に断面Ｌ字状に形成された内フランジ部４ｂとからなる。この枠体４もテーブル本体１の天板１ｂの外周に整合する。
即ち、周縁部４ａの内周が天板１ｂの外周に整合し、内フランジ部４ｂが天板１ｂの上面の周縁部に整合する。この枠体４も、テーブル本体１の平面形状に整合して製作される。
なお、この例ではスポンジシート３とフェルト２とを接着剤６を介して接合していたが、スポンジシート３の変わりにゴム板とし、或いは、適宜厚さの発泡シートとすることもできる。また、フェルト２は、不織布としたり、或いは、布とすることもできる。
【００１５】
いずれにしても、スポンジシート３はフェルト２よりも厚みが厚く、かつ、剛性があり、接着剤６を介して接合することにより、フェルト２の平面を平らに引き延ばした状態に保持することができる。
これは、接合体５を制作するとき、フェルト２を引き延ばした状態で、スポンジシート３に載置し、接着剤６を介してその平面を平らに保持する。
【００１６】
この様にしてなる接合体５は、テーブル本体１の天板１ｂ上に載置される。次いで、接合体５上には枠体４が載置され、その周縁部４ａがテーブル本体１の天板１ｂの外周に当接し、内フランジ部４ｂが接合体５の周縁部に当接する。そして、枠体４の重量により、接合体５の周縁を固定する。
なお、周縁部４ａまたは内フランジ部４ｂに適宜間隔に孔を設け、ビスにより、枠体４をテーブル本体１に締結固定してもよい。それにより、接合体５をさらに確実にテーブル本体１に保持することができる。
【００１７】
なお、スポンジシート３の板厚は、一例として、１ｍｍ〜６ｍｍであり、その発泡体の硬度が、１５度〜５０度であることが好ましい。さらに好ましくは、スポンジシート３はクロロプレンゴムを主成分とした発泡体の中硬度ゴムスポンジであり、そのスポンジシート３の板厚は、２ｍｍ〜３ｍｍであり、その発泡体の硬度は２０度〜３０度である。
また、スポンジシート３の材料としては、ウレタンを用いることができる。
【符号の説明】
【００１８】
１  テーブル本体
１ａ  脚
１ｂ  天板
２  フェルト
３  スポンジシート
４  枠体
４ａ  周縁部
４ｂ  内フランジ部
５  接合体
６  接着剤
【図１】
0003222625.tif 000003
【図２】
0003222625.tif 000004
【図３】
0003222625.tif 000005
【図４】
0003222625.tif 000006
【手続補正書】
【提出日】令和1年6月13日(2019.6.13)
【手続補正１】
【補正対象書類名】実用新案登録請求の範囲
【補正対象項目名】請求項４
【補正方法】変更
【補正の内容】
【請求項４】
請求項１〜請求項３のいずれかに記載のゲーム用テーブルにおいて、
前記枠体（４）の周縁部（４ａ）を、天板（１ａ）に締結具で締結したゲーム用テーブル。
【手続補正２】
【補正対象書類名】明細書
【補正対象項目名】０００８
【補正方法】変更
【補正の内容】
【０００８】
請求項４に記載の考案は、請求項１〜請求項３のいずれかに記載のゲーム用テーブルにおいて、
前記枠体（４）の周縁部（４ａ）を、天板（１ａ）に締結具で締結したゲーム用テーブルである。